(57)【要約】【課題】所望のデータを記録媒体に転送するとともに、その操作負担を低減することである。【解決手段】ＵＳＢメモリ２２が接続されるＵＳＢコントローラ１４と、データを記憶するＨＤＤ１９と、ＵＳＢコントローラ１４にＵＳＢメモリ２２が接続されたか否かを判別し、ＵＳＢメモリ２２が接続されたと判別すると、転送対象のデータの条件を示す所定条件情報を満たすデータをＨＤＤ１９から読み出して前記接続されたＵＳＢメモリ２２に転送するシステムマイコン１１と、を備える。【選択図】図１
2008225517.tif 000002
【特許請求の範囲】
【請求項１】
記録媒体が接続される接続部と、
データを記憶する記憶部と、
前記接続部に記録媒体が接続されたか否かを判別し、当該記録媒体が接続されたと判別すると、転送対象のデータの条件を示す所定条件情報を満たすデータを前記記憶部から読み出して前記接続された記録媒体に転送する制御部と、を備えることを特徴とするデータ転送装置。
【請求項２】
転送対象のデータの条件の入力を受け付ける入力部を備え、
前記制御部は、前記入力部を介して入力された転送対象のデータの条件に対応する所定条件情報を前記記憶部に記憶することを特徴とする請求項１に記載のデータ転送装置。
【請求項３】
前記制御部は、前記記録媒体が接続されたと判別すると、当該接続された記録媒体に記録されているデータを消去し、前記所定条件情報を満たすデータを当該記録媒体に転送することを特徴とする請求項１又は２に記載のデータ転送装置。
【請求項４】
記録媒体が接続される接続部に記録媒体が接続されたか否かを判別し、当該記録媒体が接続されたと判別すると、転送対象のデータの条件を示す所定条件情報を満たすデータを、データを記憶する記憶部から読み出して前記接続された記録媒体に転送する工程を含むことを特徴とするデータ転送方法。
【請求項５】
コンピュータを、
記録媒体が接続される接続部、
データを記憶する記憶部、
前記接続部に記録媒体が接続されたか否かを判別し、当該記録媒体が接続されたと判別すると、転送対象のデータの条件を示す所定条件情報を満たすデータを前記記憶部から読み出して前記接続された記録媒体に転送する制御部、
として機能させるためのデータ転送プログラム。
【発明の詳細な説明】
【技術分野】
【０００１】
本発明は、データ転送装置、データ転送方法及びデータ転送プログラムに関する。
【背景技術】
【０００２】
従来、ＰＣ（Personal Computer）等のＨＤＤ（Hard Disk Drive）に記録されているデータを、ポータブル機器のディスクに移動又はコピーして記録する構成が実施されている（例えば、特許文献１参照）。
【０００３】
また、ＣＤ（Compact Disc）等の光ディスクから楽曲データを読み出してＨＤＤ（Hard Disk Drive）に記憶し、ＨＤＤ記憶されたデータを再生可能なオーディオ機器が実施されている。また、このようなオーディオ機器に、ＵＳＢ（Universal Serial Bus）メモリ等のポータブル機器を接続し、ＨＤＤに記憶されている楽曲データのファイルをポータブル機器に転送する構成が実施されている。
【０００４】
ここで、図５を参照して、ＨＤＤに記憶された楽曲データをＵＳＢメモリに転送するオーディオ機器のファイル転送動作を説明する。図５に、一括転送処理の流れを示す。このオーディオ機器は、楽曲データが記憶されたＨＤＤと、ＵＳＢメモリ接続用のＵＳＢ端子と、一括転送処理を実行する制御部と、ファイル一括転送操作入力のための一括転送キーを有する操作部と、を備える。
【０００５】
オーディオ機器の制御部において実行される一括転送処理が実行される。図５に示すように、先ず、一括転送キーが押下入力されたか否かが判別される（ステップＳ４１）。一括転送キーが入力されていない場合（ステップＳ４１；ＮＯ）、ステップＳ４１に移行される。一括転送キーが入力された場合（ステップＳ４１；ＹＥＳ）、ＵＳＢ端子にＵＳＢメモリが接続され、ＵＳＢメモリが接続検知されているか否かが判別される（ステップＳ４２）。
【０００６】
ＵＳＢメモリが接続検知されていない場合（ステップＳ４２；ＮＯ）、ステップＳ４２に移行される。ＵＳＢメモリが接続検知されている場合（ステップＳ４２；ＹＥＳ）、接続中のＵＳＢメモリの管理データが読み出され、接続中のＵＳＢメモリに書き込み許可があるか否かが判別される（ステップＳ４３）。接続中のＵＳＢメモリに書き込み許可がある場合（ステップＳ４３；ＹＥＳ）、接続中のＵＳＢメモリに残り容量があるか否かが判別される（ステップＳ４４）。
【０００７】
ＵＳＢメモリに残り容量がある場合（ステップＳ４４；ＹＥＳ）、ＨＤＤに記憶されている全ての楽曲データのファイルが順に読み出されて、接続中のＵＳＢメモリに転送されて記憶される（ステップＳ４５）。そして、ＨＤＤの全ての楽曲データのファイルが転送されたか否かが判別される（ステップＳ４６）。全てのファイルが転送されていない場合（ステップＳ４６；ＮＯ）、接続中のＵＳＢメモリに残り容量があるか否かが判別される（ステップＳ４７）。
【０００８】
ＵＳＢメモリに残り容量がある場合（ステップＳ４７；ＹＥＳ）、ステップＳ４５に移行される。ＵＳＢメモリに残り容量がない場合（ステップＳ４７；ＮＯ）、又は全てのファイルが転送された場合（ステップＳ４６；ＹＥＳ）、転送終了の旨が表示され（ステップＳ４８）、一括転送処理が終了する。
【０００９】
接続中のＵＳＢメモリに書き込み許可がない場合（ステップＳ４３；ＮＯ）又はＵＳＢメモリに残り容量がない場合（ステップＳ４４；ＮＯ）、エラーの旨が表示され（ステップＳ４９）、一括転送処理が終了する。
【００１０】
また、転送する楽曲データのファイルを選択して転送する選択転送処理も実施されていた。図６に、選択転送処理の操作及び処理実行の流れを示す。
【００１１】
図６の選択転送処理では、編集項目の一つとして、転送が設定されているものとする。また、予め、ＨＤＤを有するオーディオ機器にＵＳＢメモリが接続完了しているものとする。また、操作部には、編集キー、選択キー、決定キー等を有するものとする。
【００１２】
先ず、ユーザにより編集キーが押下されると、編集選択モードに移行される。編集選択モードでは、ユーザによる選択キーの押下により、転送、編集Ｅ１〜Ｅｋ（ｋ：任意の整数）のうちから一つの編集項目が選択される。編集項目として編集Ｅ１〜Ｅｋのうちの一つが選択された場合に、選択された編集に対応する編集処理が実行される。編集項目として転送が選択された場合に、ファイル選択モードに移行される。
【００１３】
ファイル選択モードでは、ユーザによる選択キーの押下により、ＨＤＤに記憶された全ての楽曲データのファイルＦ１〜Ｆｍ（ｍ：任意の整数）のうちから少なくとも一つのファイルが転送対象として選択される。そして、ユーザによる決定キーの押下により、転送対象のファイルが、ＨＤＤから読み出されて、接続中のＵＳＢメモリに転送される。
【特許文献１】特開２００６−５９４６６号公報
【発明の開示】
【発明が解決しようとする課題】
【００１４】
しかし、上記従来のＨＤＤのデータをポータブル機器に一括転送する構成では、転送操作は簡単であるが、ＨＤＤ側に転送したくないデータが混在している場合にも、全てのデータが一律に転送されてしまっていた。
【００１５】
また、上記従来のＨＤＤのデータをポータブル機器に選択転送する構成では、転送のたびに選択操作を行うので、データの選択操作が煩わしかった。
【００１６】
本発明の課題は、所望のデータを記録媒体に転送するとともに、その操作負担を低減することである。
【課題を解決するための手段】
【００１７】
上記課題を解決するため、請求項１に記載の発明のデータ転送装置は、
記録媒体が接続される接続部と、
データを記憶する記憶部と、
前記接続部に記録媒体が接続されたか否かを判別し、当該記録媒体が接続されたと判別すると、転送対象のデータの条件を示す所定条件情報を満たすデータを前記記憶部から読み出して前記接続された記録媒体に転送する制御部と、を備えることを特徴とする。
【００１８】
請求項２に記載の発明は、請求項１に記載のデータ転送装置において、
転送対象のデータの条件の入力を受け付ける入力部を備え、
前記制御部は、前記入力部を介して入力された転送対象のデータの条件に対応する所定条件情報を前記記憶部に記憶することを特徴とする。
【００１９】
請求項３に記載の発明は、請求項１又は２に記載のデータ転送装置において、
前記制御部は、前記記録媒体が接続されたと判別すると、当該接続された記録媒体に記録されているデータを消去し、前記所定条件情報を満たすデータを当該記録媒体に転送することを特徴とする。
【００２０】
請求項４に記載の発明のデータ転送方法は、
記録媒体が接続される接続部に記録媒体が接続されたか否かを判別し、当該記録媒体が接続されたと判別すると、転送対象のデータの条件を示す所定条件情報を満たすデータを、データを記憶する記憶部から読み出して前記接続された記録媒体に転送する工程を含むことを特徴とする。
【００２１】
請求項５に記載の発明のデータ転送プログラムは、
コンピュータを、
記録媒体が接続される接続部、
データを記憶する記憶部、
前記接続部に記録媒体が接続されたか否かを判別し、当該記録媒体が接続されたと判別すると、転送対象のデータの条件を示す所定条件情報を満たすデータを前記記憶部から読み出して前記接続された記録媒体に転送する制御部、
として機能させることを特徴とする。
【発明の効果】
【００２２】
本発明によれば、所望のデータを記録媒体に転送できるとともに、その操作負担を低減できる。
【発明を実施するための最良の形態】
【００２３】
以下、添付図面を参照して本発明に係る実施の形態及びその変形例を順に詳細に説明する。ただし、発明の範囲は、図示例に限定されない。
【００２４】
図１〜図３を参照して、本発明に係る実施の形態を説明する。
【００２５】
先ず、図１を参照して、本実施の形態のオーディオ装置１００の装置構成を説明する。図１に、本実施の形態のオーディオ装置１００の構成を示す。
【００２６】
図１に示すように、データ転送装置としてのオーディオ装置１００は、記録媒体としてＣＤ２１と、ＵＳＢメモリ２２とを切り替え、ＣＤ２１又はＵＳＢメモリ２２に記憶された楽曲データを再生してスピーカ２３に音声出力させる装置である。ＣＤ２１は、予めデータが記録された光ディスクである。ＵＳＢメモリ２２は、接続式の記録媒体であり、データを読み書き可能な外部メモリである。
【００２７】
オーディオ装置１００は、制御部としてのシステムマイコン１１と、表示部１２と、入力部としての操作部１３と、接続部としてのＵＳＢコントローラ１４と、ＣＤメカ部１５と、ＤＳＰ（Digital Signal Processor）１６と、ＤＡＣ（Digital to Analog Converter）１７と、アンプ部１８と、ＨＤＤ（Hard Disk Drive）１９と、を備えて構成される。
【００２８】
システムマイコン１１は、オーディオ装置１００内の各部を統括的に制御する。システムマイコン１１は、ＣＰＵ（Central Processing Unit）、ＲＡＭ（Random Access Memory）、ＲＯＭ（Read Only Memory）を備える。ＣＰＵは、各部を中央制御する。ＲＡＭは、情報を一時的に格納するメモリであり、プログラム等が展開されるワークエリアを有する。ＲＯＭは、情報を読み出し可能に記憶するメモリである。システムマイコン１１において、ＲＯＭから読み出されてＲＡＭに適宜展開されたプログラムと、ＣＰＵとの協働で各種処理が実行される。ＲＯＭには少なくとも第１の転送プログラムが記憶される。
【００２９】
システムマイコン１１は、第１の転送プログラムに基づいて、ＵＳＢメモリ２２がＵＳＢコントローラ１４に接続されているか否かを判別し、ＵＳＢメモリ２２が接続されていると判別すると、ＨＤＤ１９から転送対象のデータの条件を示す所定条件情報を読み出し、ＨＤＤ１９に記憶された楽曲データのファイルのうち、所定条件情報を満たす楽曲データのファイルを抽出し、接続中のＵＳＢ２２に転送して記録させる。
【００３０】
表示部１２は、ＬＣＤ（Liquid Crystal Display）、ＶＦＤ（Vacuum Fluorescent Display）、ＥＬＤ（ElectroLuminescent Display）等から構成される。表示部１２は、システムマイコン１１の制御により、楽曲に関する情報、設定情報、操作情報等を表示する。表示部１２は、特に、所定条件情報の設定を行うための設定画面を表示する。
【００３１】
操作部１３は、数字や文字等の入力キー、メニューを選択する選択キー、ディスク取り出しキー等の各種キーを有する操作パネルを備える。操作部１３は、ユーザによる、ＣＤ２１、ＵＳＢメモリ２２又はＨＤＤ１９に記録された楽曲データの再生開始、再生停止、再生条件の設定等の操作情報の入力を受け付け、その操作情報をシステムマイコン１１に出力する。
【００３２】
ＵＳＢコントローラ１４は、ＵＳＢを接続するＵＳＢ端子（ＵＳＢポート）を有する。ＵＳＢコントローラ１４は、そのＵＳＢ端子にＵＳＢメモリ２２等のＵＳＢデバイスが接続された場合に、その旨の信号をＤＳＰ１６を介してシステムマイコン１１に出力する。また、ＵＳＢコントローラ１４は、ＵＳＢ端子からＵＳＢデバイスが外れた場合に、その旨の信号をＤＳＰ１６を介してシステムマイコン１１に出力する。また、ＵＳＢコントローラ１４は、ＵＳＢ端子に接続されたＵＳＢデバイスに対してＵＳＢ規格に従ったデータ転送を行ったり、ＵＳＢデバイスに電力を供給したりする。特に、本実施の形態では、ＵＳＢコントローラ１４は、ＤＳＰ１６から入力されたデジタルデータを、ＵＳＢ端子に接続されたＵＳＢメモリ２２へ転送する。
【００３３】
ＵＳＢデバイスとしてのＵＳＢメモリ２２は、不揮発性半導体記憶メモリと、ＵＳＢ転送部等とを有する。ＵＳＢメモリ２２は、ＵＳＢコントローラ１４から給電された電力により動作し、ＵＳＢ転送部によりＵＳＢコントローラ１４との間でＵＳＢ規格に従ったデータ転送を行い、不揮発性半導体記憶メモリにデータの読み込み又は記録がなされる。
【００３４】
本実施の形態では、ＵＳＢメモリ２２には、所定形式（例えば、ＭＰ３形式、ＷＭＡ形式、ＡＡＣ形式又はＡＴＲＡＣ３形式）で圧縮されて符号化された楽曲データのファイルが記録され、そのファイルがＵＳＢコントローラ１４に転送される。なお、ＵＳＢメモリ２２には、楽曲データのファイル及び別のファイルの両方が記録されていても良い。
【００３５】
ＣＤメカ部１５は、ＣＤを装填する装填部、光ピックアップ、トラッキングスレッドサーボ回路、スピンドルサーボ回路等により構成される（何れも図示しない）。ＣＤメカ部１５において、装填部に装填されたＣＤがスピンドルモータにより回転される。そのＣＤの表面に記録されたデータが光ピックアップにより読み取られてデジタル信号として出力される。その際に、トラッキングスレッドサーボ回路によりＣＤ２１上の読み取り位置が調整され、スピンドルサーボ回路によりスピンドルモータの回転が調整される。ＣＤメカ部１５は、システムマイコン１１から入力される制御信号により、ＣＤ２１においてトラック毎に格納されたトラックデータの再生やＴＯＣ（Table  Of  Contents）エリア内の情報の読み取りに係る各種動作を行う。
【００３６】
ＤＳＰ１６は、システムマイコン１１から入力される制御信号に基づいて、ＵＳＢコントローラ１４、ＣＤメカ部１５から入力されるデジタル信号のデータに対して、ＭＰ３（MPEG-1 Audio Layer-3）方式やＷＭＡ（Windows Media(登録商標) Audio）への圧縮／伸張の処理、エラー訂正符号化の処理、ＥＦＭ（Eight to Fourteen Modulation）変調処理等の各種デジタル信号処理を施す。また、ＤＳＰ１６は、システムマイコン１１から入力される制御信号に基づいて、楽曲データの再生対象をＵＳＢコントローラ１４又はＣＤメカ部１５に切り替える入力セレクタとしての機能を有する。
【００３７】
ＤＡＣ１７は、ＤＳＰ１６から入力されたデジタルの電気信号をアナログの電気信号に変換して出力する。アンプ部１８は、ＤＡＣ１７から入力されたアナログの電気信号を増幅して出力する。スピーカ２３は、アンプ部１８から入力されたアナログの電気信号に基づいて音を出力する。
【００３８】
ＨＤＤ１９は、磁気記録媒体を備える。ＨＤＤ１９は、システムマイコン１１の制御信号に基づいて、ＤＳＰ１６を介して、磁気記録媒体から情報を読み込み又は情報を書き込む。ＨＤＤ１９には、楽曲データ、設定情報等、各種情報が記憶される。ＨＤＤ１９には、特に、ＣＤメカ部１５で再生された楽曲データ等が記憶可能である。また、ＨＤＤ１９において、楽曲データのファイルは、フォルダ構造により記憶されるものとする。
【００３９】
また、ＣＤ２１の楽曲をＨＤＤ１９に録音する時には、システムマイコン１１により、再生した楽曲データの再生履歴の有無を示す再生履歴情報と、再生回数を示す再生回数情報が生成されてＨＤＤ１９に記憶されるものとする。また、ＣＤ２１に記録された楽曲データをＨＤＤ１９へ記憶する場合に、図示しない計時部により記憶時の日時情報が取得され、その記憶時の日時情報が楽曲データに関連付けられて、記憶日時情報としてＨＤＤ１９に記憶されるものとする。
【００４０】
次いで、図２及び図３を参照して、オーディオ装置１００の動作を説明する。図２に、第１の転送処理の流れを示す。図３に、第１の転送処理の操作及び処理実行の流れを示す。
【００４１】
例えば、操作部１３を介してユーザから第１の転送処理の実行指示が入力されたこと等をトリガとして、システムマイコン１１において、ＲＯＭから読み出されて適宜ＲＡＭに展開された第１の転送プログラムと、ＣＰＵとの協働により、第１の転送処理が実行される。
【００４２】
また、予めユーザによる操作部１３を介する設定入力等により、ＵＳＢメモリ２２に転送する楽曲データのファイルの条件を示す所定条件情報が設定され、その所定条件情報がＨＤＤ１９に記憶されているものする。所定条件情報としては、例えば、再生回数が所定回数よりも多いファイル、再生された履歴のないファイル、新しくＨＤＤ１９に記憶されたファイル、予め指定された指定フォルダ内に格納されたファイル、等の条件から少なくとも一つが設定可能であるものとする。また、予め、上記の再生履歴情報、再生回数情報、記憶日時情報もＨＤＤ１９に記憶されているものとする。
【００４３】
図２に示すように、先ず、ＵＳＢコントローラ１４のＵＳＢ端子にＵＳＢメモリ２２が接続され、ＵＳＢメモリ２２が接続検知されているか否かが判別される（ステップＳ１１）。ＵＳＢメモリ２２が接続検知されていない場合（ステップＳ１１；ＮＯ）、ステップＳ１１に移行される。ＵＳＢメモリ２２が接続検知されている場合（ステップＳ１１；ＹＥＳ）、接続中のＵＳＢメモリ２２の管理データが読み出され、接続中のＵＳＢメモリ２２に書き込み許可があるか否かが判別される（ステップＳ１２）。接続中のＵＳＢメモリ２２に書き込み許可がある場合（ステップＳ１２；ＹＥＳ）、ＨＤＤ１９から所定条件情報が読み出される（ステップＳ１３）。
【００４４】
そして、ＵＳＢメモリ２２に記録されている楽曲データのファイルが消去される（ステップＳ１４）。そして、ＵＳＢメモリ２２に記録されている全ての楽曲データのファイルが消去完了されたか否かが判別される（ステップＳ１５）。全ての楽曲データのファイルが消去完了されていない場合（ステップＳ１５；ＮＯ）、ステップＳ１４に移行される。ステップＳ１４においては、ＵＳＢメモリ２２に記録されている楽曲データのファイルの全消去に代えて、ＵＳＢメモリ２２の記録領域のフォーマットや、転送対象となるファイルの容量を確保可能な分のみの消去としてもよい。
【００４５】
全ての楽曲データのファイルが消去完了された場合（ステップＳ１５；ＹＥＳ）、ＨＤＤ１９に記憶された全ての楽曲データのファイルの中から、所定条件情報の条件を満たす楽曲データのファイルが抽出され、そのファイルがＵＳＢコントローラ１４を介してＵＳＢメモリ２２に転送され、ＵＳＢメモリ２２に記録される（ステップＳ１６）。
【００４６】
例えば、所定条件情報が、再生回数の多いファイルである場合に、ＨＤＤ１９に記憶された再生回数情報が参照され、その再生回数情報に基づいて、所定回数以上再生された楽曲データのファイルが抽出されて転送される。所定条件情報が、再生された履歴のないファイルである場合に、ＨＤＤ１９に記憶された再生履歴情報が参照され、その再生履歴情報に基づいて、再生履歴のない楽曲データのファイルが抽出されて転送される。所定条件情報が、新しく記録されたファイルである場合に、ＨＤＤ１９に記憶された記憶日時情報及び後述する転送履歴情報に基づいて、前回の転送日時より後にＨＤＤ１９に記憶された記憶日時情報及び楽曲データのファイルが抽出されて転送される。所定条件情報が、指定フォルダである場合に、ＨＤＤ１９の指定フォルダ内に格納された楽曲データのファイルが抽出されて転送される。
【００４７】
そして、所定条件情報の条件を満たす全ての楽曲データのファイルが転送されたか否かが判別される（ステップＳ１７）。所定条件情報の条件を満たす全ての楽曲データのファイルが転送されていない場合（ステップＳ１７；ＮＯ）、接続中のＵＳＢメモリ２２に残り容量があるか否かが判別される（ステップＳ１８）。ＵＳＢメモリ２２に残り容量がある場合（ステップＳ１８；ＹＥＳ）、ステップＳ１６に移行される。ＵＳＢメモリ２２に残り容量がない場合（ステップＳ１８；ＮＯ）、又は所定条件情報の条件を満たす全ての楽曲データのファイルが転送された場合（ステップＳ１７；ＹＥＳ）、転送終了の旨が表示部１２に表示される（ステップＳ１９）。
【００４８】
そして、ステップＳ１７において転送された楽曲データのファイルの転送日時を含む転送履歴情報が生成されてＨＤＤ１９に記憶される（ステップＳ２０）。
【００４９】
ステップＳ２０の実行後、又は接続中のＵＳＢメモリ２２に書き込み許可がない場合（ステップＳ１２；ＮＯ）、第１の転送処理が終了する。
【００５０】
図３を参照して、第１の転送処理における処理手順の一例を説明する。図３に示すように、操作部１３を介するユーザの操作入力により所定条件情報の設定がなされる（ステップＳ０とする）。先ず、所定条件情報の設定画面が表示部１２に表示される。図３の例では、設定画面において、全ての所定条件情報の項目から、再生回数が所定回数よりも多いファイル、再生された履歴のないファイル、新しくＨＤＤ１９に記憶されたファイル、指定フォルダ内に格納されたファイル、の所定条件情報の項目が選択可能に表示部１２に表示される。そして、それらの項目の選択入力が操作部１３を介して受け付けられる。
【００５１】
また、指定フォルダ内に格納されたファイルの項目が選択されると、さらに、ＨＤＤ１９に記憶された全てのフォルダのうちから指定フォルダを選択する画面に遷移する。その指定フォルダの選択入力が操作部１３を介して受け付けられる。例えば、フォルダＧ１〜Ｇｎ（ｎ：任意の整数）が指定フォルダとして設定される。これら設定した所定条件情報がＨＤＤ１９に記憶される。
【００５２】
そして、ステップＳ１１において、ＵＳＢメモリ２２がＵＳＢコントローラ１４のＵＳＢ端子に接続される。そして、ステップＳ１３において、ＨＤＤ１９から所定条件情報が読み出される。そして、ステップＳ１６等において、所定条件情報を満たす楽曲データのファイルがＨＤＤ１９から読み出されて、接続中のＵＳＢメモリ２２に転送される。
【００５３】
以上、本実施の形態によれば、ＵＳＢメモリ２２をＵＳＢコントローラ１４のＵＳＢ端子に接続すると、ＨＤＤ１９に記憶された所定条件情報に対応する楽曲データをＨＤＤ１９から読み出してＵＳＢコントローラ１４を介してＵＳＢメモリ２２に自動的に転送して記録する。このため、ユーザの所望のデータをオーディオ装置１００からＵＳＢメモリ２２に転送して記録できるとともに、そのユーザの操作負担を低減できる。
【００５４】
また、テータ転送前にＵＳＢメモリ２２に記録されているデータを消去する。このため、データ転送先であるＵＳＢメモリ２２の記録可能領域を容易に確保できるとともに、ユーザによるＵＳＢメモリ２２のデータ消去操作の負担を低減できる。
【００５５】
また、第１の転送処理の実行前に、ユーザの操作入力に基づいて所定条件情報を作成してＨＤＤ１９に記憶する。このため、ユーザが所望の所定条件情報を自在に設定できる。
【００５６】
（変形例）
図４を参照して、上記実施の形態の変形例を説明する。図４に、第２の転送処理の流れを示す。
【００５７】
本変形例では、オーディオ装置１００を用いる。このため、上記実施の形態と同様の部分に同じ符号を付し、上記実施の形態と異なる部分を主として説明する。
【００５８】
本変形例におけるオーディオ装置１００の動作を説明する。本変形例では、オーディオ装置１００において、第２の転送処理が実行される。
【００５９】
例えば、操作部１３を介してユーザから第２の転送処理の実行指示が入力されたこと等をトリガとして、システムマイコン１１において、ＲＯＭから読み出されて適宜ＲＡＭに展開された第２の転送プログラムと、ＣＰＵとの協働により、第２の転送処理が実行される。
【００６０】
また、予めユーザによる操作部１３を介する設定入力等により、ＵＳＢメモリ２２に転送するファイルの条件を示す所定条件情報が設定され、その設定情報がＨＤＤ１９に記憶されているものする。
【００６１】
図４に示すように、ステップＳ３１，Ｓ３２は、第１の転送処理のＳ１１，Ｓ１２と同様である。接続中のＵＳＢメモリ２２に書き込み許可がある場合（ステップＳ３２；ＹＥＳ）、接続中のＵＳＢメモリ２２に、残り容量があるか否かが判別される（ステップＳ３３）。ＵＳＢメモリ２２に残り容量がある場合（ステップＳ３３；ＹＥＳ）、ＨＤＤ１９から所定条件情報が読み出される（ステップＳ３４）。ステップＳ３５〜Ｓ３９は、第１の転送処理のＳ１６〜Ｓ２０と同様である。
【００６２】
以上、本変形例によれば、ＵＳＢメモリ２２をＵＳＢコントローラ１４のＵＳＢ端子に接続すると、ＨＤＤ１９に記憶された所定条件情報に対応する楽曲データをＨＤＤ１９から読み出してＵＳＢコントローラ１４を介してＵＳＢメモリ２２に自動的に転送して記録する。このため、ユーザの所望のデータをオーディオ装置１００からＵＳＢメモリ２２に転送して記録できるとともに、そのユーザの操作負担を低減できる。
【００６３】
なお、上記実施の形態及び変形例における記述は、本発明に係るデータ転送装置、データ転送方法及びデータ転送プログラムの一例であり、これに限定されるものではない。
【００６４】
上記実施の形態及び変形例では、データ転送装置を、オーディオ装置１００として説明したが、これに限定されるものではない。例えば、記録媒体が接続される機能を有するＰＣ等、他のデータ転送装置としてもよい。
【００６５】
また、上記実施の形態及び変形例では、転送するデータを、楽曲データとして説明したが、これに限定されるものではない。例えば、転送するデータを、静止画又は動画（スライドショー等を含む）の画像データ等、他のデータとしてもよい。
【００６６】
また、上記実施の形態及び変形例では、接続する記録媒体を、ＵＳＢメモリ２２として説明したが、これに限定されるものではない。例えば、接続する記録媒体を、ＵＳＢデジタルオーディオプレーヤ、ＵＳＢのＨＤＤ等のＵＳＢ機器や、ＳＤカード等のメモリカード等の他の接続方式の記録媒体等、他の記録媒体としてもよい。
【００６７】
また、上記実施の形態及び変形例では、ＣＤ２１から取り込んだ楽曲データをＨＤＤ１９に記憶し、ＨＤＤ１９からＵＳＢメモリ２２に楽曲データを転送する構成としたが、これに限定されるものではない。例えば、ＣＤ２１から直接ＵＳＢメモリ２２に楽曲データを転送する構成としてもよい。
【００６８】
また、上記実施の形態及び変形例では、再生するデータの記録元をＣＤ２１として説明したが、これに限定されるものではない。例えば、転送するデータが楽曲データの場合には、データ記録元を、ＭＤ、カセットテープ等、他の記録媒体としたり、ラジオ放送や、マイク等で録音した録音データ等としてもよい。特に、ラジオ放送等の場合、タイマ録音された音声データを、転送先の記録媒体に転送する構成とし、所定条件情報として、タイマ録音した音声データのファイルを含める構成としてもよい。
【００６９】
例えば、タイマ録音した音声データのファイルを、ＨＤＤ１９のタイマ録音専用のフォルダに格納し、タイマ録音専用のフォルダに格納されたファイルを、転送の所定条件情報としてもよい。また、タイマ録音した音声データのファイルに特定のファイル名（連番等）を付加し、その特定のファイル名の連番のついたファイルを転送の所定条件情報としてもよい。
【００７０】
転送するデータが画像データの場合には、データ記録元を、ＤＶＤ（Digital Versatile Disk）、ＢＤ（Blu-ray Disc）等、他の記録媒体としたり、テレビ放送や、カメラ等で録画した録画データ等としてもよい。
【００７１】
また、例えば、ＨＤＤ１９へのデータの録音時に、連番の入ったフォルダ名のフォルダを作成して楽曲データのファイルを格納し、データ転送時に各フォルダのフォルダ名を転送履歴情報としてＨＤＤ１９に記憶しておく。そして、次回からのデータ転送時に、未転送の番号の入ったフォルダ名のフォルダ内のファイルを転送の所定条件情報としてもよい。
【００７２】
また、ユーザがお気に入り等に指定したデータのファイルを転送の所定条件情報として指定したり、お気に入りフォルダにユーザが移動させたデータのファイルを転送の所定条件情報として指定してもよい。さらに、上述した所定条件以外の所定条件情報を設定可能な構成としてもよい。また、ＵＳＢメモリ等、外部機器から所定条件情報をデータ転送装置に入力する構成としてもよい。さらに、データ転送毎に、複数の所定条件情報から所望のものをユーザが選択操作して使用する構成としてもよい。その他、所定条件情報の設定は、視聴回数の上位や下位など、各種条件付けが適用可能である。
【００７３】
その他、上記実施の形態におけるオーディオ装置１００の細部構成及び詳細動作に関しても、本発明の趣旨を逸脱しない範囲で適宜変更可能である。
【図面の簡単な説明】
【００７４】
【図１】本発明に係る実施の形態のオーディオ装置１００の構成を示すブロック図である。
【図２】第１の転送処理を示すフローチャートである。
【図３】第１の転送処理の操作及び処理実行の概略の流れを示す図である。
【図４】第２の転送処理を示すフローチャートである。
【図５】一括転送処理を示すフローチャートである。
【図６】選択転送処理の操作及び処理実行の概略の流れを示す図である。
【符号の説明】
【００７５】
１００  オーディオ装置
１１  システムマイコン
１２  表示部
１３  操作部
１４  ＵＳＢコントローラ
１５  ＣＤメカ部
１６  ＤＳＰ
１７  ＤＡＣ
１８  アンプ部
１９  ＨＤＤ
２１  ＣＤ
２２  ＵＳＢメモリ
２３  スピーカ
【図１】
2008225517.tif 000003
【図２】
2008225517.tif 000004
【図３】
2008225517.tif 000005
【図４】
2008225517.tif 000006
【図５】
2008225517.tif 000007
【図６】
2008225517.tif 000008